(57)【特許請求の範囲】
【請求項１】
矩形の四隅に相当する位置に配置される支柱（２）を備えた台装置（１）であって、この台装置（１）の長さ方向（Ｊ）で対向する支柱（２）の上部間及びこの長さ方向（Ｊ）に直交する台装置（１）の幅方向（Ｋ）で対向する支柱（２）の上部間に配置されて支柱（２）同志を連結する梁（３）と、台装置（１）の上面側に敷設されるパネル（４）とを備え、各支柱（２）の上部に、支柱（２）の、梁（３）が配置される側の隣り合う一対の壁部（２Ａ）に重ね合わされて着脱自在に取り付けられる一対の接合壁を備えてなる仕口材（６）を備え、各仕口材（６）に、１本の支柱（２）に対して連結される一対の梁（３）の端部が溶接固定され、各支柱（２）の上部には、支柱（２）の、梁（３）が配置される側とは反対側の隣り合う一対の壁部（２Ｂ）に重ね合わされて溶接固定された一対の接合片（１５Ａ）によって構成された梁接合部材（１５）が設けられ、この梁接合部材（１５）の各接合片（１５Ａ）は、１本の支柱（２）に対して連結される一対の梁（３）のそれぞれの外側面に沿うように支柱（２）から延出され、この梁接合部材（１５）の各接合片（１５Ａ）と各梁（３）とが、これらを貫通する、台装置（１）の長さ方向（Ｊ）又は幅方向（Ｋ）のボルト（１６）及びこのボルト（１６）に螺合されるナット（１７）によって締結固定されるように構成されていて、前記構成の台装置（１）を複数台、長さ方向（Ｊ）又は幅方向（Ｋ）に近接配置して相互に連結する際において、隣り合う台装置（１）の、隣り合う梁接合部材（１５）の接合片（１５Ａ）及び隣り合う梁（３）にボルト（１６）を貫通し、該ボルト（１６）にナット（１７）を螺合して、該隣り合う接合片（１５Ａ）及び梁（３）同志が締結固定されるように構成されていることを特徴とする台装置。
【請求項２】
仕口材（６）の上端側には、支柱（２）の上端に接当する接当部材（９）が溶接固定されていることを特徴とする請求項１に記載の台装置。
【請求項３】
支柱（２）が筒体によって形成されており、この支柱（２）の内面に溶接固定されるナットプレート（１９）にナット（１４）が溶接固定され、仕口材（６）、支柱（２）及びナットプレート（１９）を貫通して前記ナット（１４）に螺合されるボルト（１３）によって仕口材（６）が支柱（２）に取付固定されていることを特徴とする請求項１又は２に記載の台装置。
【請求項４】
台装置（１）を複数台、近接配置して相互に連結する際において、隣り合う台装置（１）の、隣り合う梁（３）同志の間に介在可能とされると共に、該隣り合う梁（３）同志を連結すべく該両梁（３）を貫通するボルト（２６）が貫通可能とされた介在プレート（２５）を備えていることを特徴とする請求項１〜３のいずれかに記載の台装置。
【請求項５】
パネル（４）は対向する梁（３）と梁（３）とにわたって配置されると共にこれら梁（３）上に載置されるパネル板（３１）を、これら梁（３）の長手方向（Ｍ）に沿う方向に並設することで構成され、複数枚のパネル板（３１）は、該パネル板（３１）の下面側において、前記梁（３）の近傍に、該梁（３）の長手方向（Ｍ）に沿って配設された接続プレート（３２）に溶接固定されて一体化されており、この接続プレート（３２）の下面と、前記梁（３）の上部側の壁部（３Ｂ）の下面とにわたってブリッジ片（３５）が設けられ、このブリッジ片（３５）と接続プレート（３２）とを締結する締結手段の締め付けによって、パネル板（３１）とブリッジ片（３５）とで、前記梁（３）の上部側の壁部（３Ｂ）を挟持するように構成されていることを特徴とする請求項１〜４のいずれかに記載の台装置。
【請求項６】
支柱（２）の下端側に取り付けられる上側のベースプレート（３８）と、台装置（１）が設置される設置面（４２）上に配置される下側のベースプレート（３９）と、これら上下のベースプレート（３８），（３９）間に配置されていて、上下のベースプレート（３８），（３９）の上下間隔を調整するアジャスタブル装置（４０）とを有するベース（５Ａ），（５Ｂ），（５Ｃ）が備えられていることを特徴とする請求項１〜５のいずれかに記載の台装置。
【発明の詳細な説明】
【０００１】
【発明の属する技術分野】
本発明は、例えば、複数台連結することにより、中二階、棚、架台、仮設ステージ、駐車場等の構造物を形成する台装置に関するものである。
【０００２】
【従来の技術】
例えば、中二階と称する構造物は、棚又は架台でありながら建築物に近い工法で製作され、通常工法は、図２０及び図２１に示すように、直交する方向に配置された梁６１の長手方向の交点に柱６２が有り、柱６２を中心に梁６１を接続する構造である。
すなわち、柱６２は四角筒状に形成され、この柱６２の上部には、四角形状の、上下一対のフランジ６３が設けられ、この上下のフランジ６３には、柱６２の４面から垂直方向に突出するように、Ｈ形鋼からなる接合部材６４が溶接固定されており、この各接合部材６４に、Ｈ形鋼からなる梁６１を突き合わせ状に配置し、接合部材６４と梁６１とにわたって接合プレート６５を設け、この接合プレート６５と、梁６１及び接合部材６４とをボルト・ナットによって締結固定することにより、柱６２に梁６１を固定するようにしている。
【０００３】
そして、この構造によって、柱６２と柱６２とを梁６１等によって連結し、梁６１上に、対向する梁６１間に亘ってパネルを敷設し、これによって、中二階等を構築するようにしている。
【０００４】
【発明が解決しようとする課題】
前記従来の構造の中二階等にあっては、設置場所に合わせて、設計、施工され、すなわち、設置場所に合わせたオーダーメイドとされており、１度構築された構造物は、水平方向の大きさ及び形状の変更の自由度がないと共に、移設、増設等が考慮されておらず、他への移動、流用は、ほとんどできないものであった。本発明は、前記問題点に鑑みて、水平方向の大きさ及び形状の変更の自由度があると共に、移設、増設が比較的自由に行える、中二階、仮設ステージ等の構造物を提供することを目的とする。
【０００５】
【課題を解決するための手段】
本発明が技術的課題を解決するために講じた技術的手段は、矩形の四隅に相当する位置に配置される支柱を備えた台装置であって、この台装置の長さ方向で対向する支柱の上部間及びこの長さ方向に直交する台装置の幅方向で対向する支柱の上部間に配置されて支柱同志を連結する梁と、台装置の上面側に敷設されるパネルとを備え、各支柱の上部には、梁が配置される側とは反対側に固定された梁接合部材が設けられ、この梁接合部材は、１本の支柱に対して連結される一対の梁のそれぞれの外側面に沿うように支柱から延出された一対の接合片によって構成され、この接合片と梁とが、これらを貫通する、台装置の長さ方向又は幅方向のボルト及びこのボルトに螺合されるナットによって締結固定されるように構成されていることを特徴とする。
【０００６】
また、各支柱上部の、梁が配置される側には、仕口材が着脱自在に取り付けられ、この仕口材に、１本の支柱に対して連結される一対の梁の端部が固定されているのがよい。
また、仕口材の上端側には、支柱の上端に接当する接当部材が設けられているのがよい。
また、支柱が筒体によって形成されており、この支柱の内面に溶接固定されるナットプレートにナットが溶接固定され、仕口材、支柱及びナットプレートを貫通して前記ナットに螺合されるボルトによって仕口材が支柱に取付固定されているのがよい。
【０００７】
また、台装置を複数台、近接配置して相互に連結する際において、隣り合う台装置の、隣り合う梁同志の間に介在可能とされると共に、該隣り合う梁同志を連結すべく該両梁を貫通するボルトが貫通可能とされた介在プレートを備えているのがよい。
また、パネルは対向する梁と梁とにわたって配置されると共にこれら梁上に載置されるパネル板を、これら梁の長手方向に沿う方向に並設することで構成され、複数枚のパネル板は、該パネル板の下面側において、前記梁の近傍に、該梁の長手方向に沿って配設された接続プレートに溶接固定されて一体化されており、この接続プレートの下面と、前記梁の上部側の壁部の下面とにわたってブリッジ片が設けられ、このブリッジ片と接続プレートとを締結する締結手段の締め付けによって、パネル板とブリッジ片とで、前記梁の上部側の壁部を挟持するように構成されているのがよい。
【０００８】
また、支柱の下端側に取り付けられる上側のベースプレートと、台装置が設置される設置面上に配置される下側のベースプレートと、これら上下のベースプレート間に配置されていて、上下のベースプレートの上下間隔を調整するアジャスタブル装置とを有するベースが備えられているのがよい。
【０００９】
【発明の実施の形態】
以下、本発明の実施の形態を図面を参照して説明する。
図２〜図４において、１は台装置を示しており、この台装置１は、複数台着脱自在に連結可能とされており、複数台連結することにより、例えば、中二階、棚、架台、駐車場、又は屋外イベント等において使用される仮設ステージ（簡易ステージ）等として使用可能とされている。
なお、前記台装置１は、図例では４台連結されているが、連結する数は、これに限定されることはなく、また、１台で使用してもかまわない。
【００１０】
この台装置１は、平面視矩形（図例では長方形であるが正方形であってもよい）の四隅に相当する位置に立設されて配置された４本の支柱２と、この支柱２の上部同志を連結する４本の梁３と、台装置１の上面側に略全体に亘って敷設されて床パネル又は棚パネル等として使用されるパネル４と、支柱２の下端側に配置されるベース５Ａ，５Ｂ，５Ｃとを備えて構成されている。
図１〜図９に示すように、各支柱２は断面四角形の筒体（角パイプ）によって構成されていて、筒軸心方向が上下方向に一致するように配置されていると共に、この支柱２の対向する壁部２Ａ，２Ｂのうち、一方の対向する壁部２Ａ，２Ｂが、台装置１の長さ方向（長手方向）Ｊに直交するように配置され、他方の対向する壁部２Ａ，２Ｂが、台装置１の幅方向Ｋ（台装置１の長さ方向Ｊに直交する水平方向）に直交するように配置されている。
【００１１】
各梁３は、例えば、溝形鋼（断面コ字形の溝形鋼又はリップ溝形鋼）から形成されており、台装置１の長さ方向Ｊで対向する（隣り合う）支柱２の上部間、及び、幅方向Ｋで対向する（隣り合う）支柱２の上部間に配置されていて、支柱２上部に連結されている。
また、台装置１の長さ方向Ｊで対向する支柱２間に配置された梁３は、該長さ方向Ｊに沿う方向（一致する方向）に配置され、台装置１の幅方向Ｋで対向する支柱２間に配置された梁３は、該幅方向Ｋに沿う方向（一致する方向）に配置されており、１本の支柱２に対して連結される一対の梁３は、相互に直交する方向に配置されている。
【００１２】
また、各支柱２の上部には、仕口材６が着脱自在に取付固定されていると共に、各梁３の端部は、この仕口材６に溶接等によって固定されており、この仕口材６を介して梁３が支柱２に連結されるように構成されている。
また、前記４本の梁３及び４つの仕口材６によって平面視矩形状の梁枠体７が構成されており、各梁３は開放側が、この矩形状の梁枠体７の内側を向くように配置されている。
また、１つの仕口材６に対して固定される一対の梁３の端部同志は、該梁３及び仕口材６に溶接された補強部材２４によって連結されている。
【００１３】
また、台装置１の長さ方向Ｊで対向する一対の梁３は補強材１２Ａで連結され、台装置１の幅方向Ｋで対向する一対の梁３は補強材１２Ｂによって前記補強材１２Ａに連結されている。
仕口材６は、互いに直交する方向に配置されると共に一端側縁部同志が接続された一対の接合壁６Ａを備えていて、断面Ｌ字形に形成されており、例えば、山形鋼から形成されている。
この仕口材６は、支柱２上部の、梁３が配置される側の隣り合う一対の壁部２Ａの外面に重ね合わされてボルト１３・ナット１４等の固定手段によって着脱自在に取付固定可能とされている。
【００１４】
すなわち、仕口材６の一方の接合壁６Ａは、支柱２の、該支柱２に対して台装置１の長さ方向Ｊで対向する、他の支柱２に対向する側の壁部２Ａの外面に重ね合わされ、仕口材６の他方の接合壁６Ａは、支柱２の、該支柱２に対して台装置１の幅方向Ｋで対向する、他の支柱２に対向する側の壁部２Ａの外面に重ね合わされる。
また、仕口材６の各接合壁６Ａには、複数のボルト挿通孔１０が上下方向に形成されている。
【００１５】
このボルト挿通孔１０は、図例では、上部に２箇所、下部に１箇所形成されている。
また、支柱２上部の、前記接合壁６Ａが重ね合わされる壁部２Ａには、前記ボルト挿通孔１０に一致するボルト挿通孔１１が形成されている。
また、各支柱２の、接合壁６Ａが取り付けられる壁部２Ａの内面側には、ボルト挿通孔１１に対応する位置に、それぞれナット１４が支柱２に対して固定状に設けられており、仕口材６の接合壁６Ａを支柱２の壁部２Ａに重ね合わせ、ボルト１３をボルト挿通孔１０，１１に挿通させてナット１４に螺合させることにより、仕口材６が支柱２に取付固定され、これにより、梁３が支柱２に連結されるようになっている。
【００１６】
前記仕口材６と支柱２とは、矩形状の梁枠体７の内側において固定されるように構成されている。
前記ナット１４は、支柱２上部の、前記接合壁６Ａが重ね合わされる壁部２Ａの内面側に固定されたナットプレート１９に固定されている。
ナットプレート１９は、支柱２の壁部２Ａの内面に重ね合わされて溶接等によって固定される一対の壁部１９Ａを備えており、例えば、板材を折曲することにより平面視Ｌ字形に形成されている。
【００１７】
このナットプレート１９の各壁部１９Ａには、前記ボルト挿通孔１０，１１に一致するボルト挿通孔２０が形成され、ナット１４は、そのネジ孔が各壁部１９Ａのボルト挿通孔２０に一致するように、各壁部１９Ａに溶接等によって固定されている。
前記ナットプレート１９を支柱２の壁部２Ａに溶接固定することによって、支柱２の、梁３を連結する部分の補強がなされている。
また、各仕口材６の上面側には、支柱２の上端に、該支柱２の上端開口を塞ぐように接当する接当部材９が溶接等によって固定されており、例えば、支柱２に梁３を連結する（支柱２に仕口材６を取り付ける）際において、接当部材９を支柱２の上端に接当させることによって、仕口材６の支柱２に対する位置決めがなされると共に、仕口材６等を支柱２に保持させておくことができ、仕口材６の取り付け時（ボルト１３を螺合させる際）において、仕口材６等を手又は他の手段によって保持する必要がないという効果を奏する。
【００１８】
また、支柱２の、梁３が配置される側とは反対側の（仕口材６が取り付けられる壁部２Ａ（内側の壁部２Ａ）とは異なる）、隣り合う２つの壁部２Ｂ（外側の壁部２Ｂ）には、例えば、板材を折曲することによって平面視Ｌ字形に形成された梁接合部材１５が固定されている。
この梁接合部材１５は、互いに直交する方向に配置されて一端側縁部同志が互いに接合された一対の接合片１５Ａを備えてなり、この接合片１５Ａは、支柱２の、仕口材６が取り付けられる壁部２Ａに対向する壁部２Ｂの外面に重ね合わされて溶接等によって固定されている。
【００１９】
また、各接合片１５Ａは、支柱２の壁部２Ｂから梁３の縦壁３Ａの外面（梁の３の外側面）に沿う方向に延出するように突出されている。
この接合片１５Ａの前記延出部分には、上下一対のボルト挿通孔２２が形成され、梁３の縦壁３Ａには、前記ボルト挿通孔２２に一致するボルト挿通孔２３が形成されており、これらボルト挿通孔２２，２３にボルト１６を挿通し、該ボルト１６にナット１７を螺合させることで、梁３が接合片１５Ａに（梁３が接合片１５Ａを介して支柱２に）連結されている。
【００２０】
前記構成の台装置１にあっては、複数台連結する場合、図２〜図４に示すように、長さ方向Ｊ又は幅方向Ｋで隣り合うように台装置１を近接配置し、隣り合う台装置１同志の、隣り合う梁３及び接合片１５Ａ同志を、図１に例示するように、ボルト１６及びナット１７によって共締めして固定することによって、複数の台装置１が連結一体化できるように構成されている。
このように構成されていることによって、台装置１同志を連結する際において、支柱２と梁３とを連結するためのボルトなどの締結部材が障害とならずに、台装置１同志を近接配置させて（隣り合う台装置１同志の隣り合う接合片１５Ａ同志を面接触状として）連結一体化できるようになっていると共に、連結された台装置１のうち、任意の１台又は複数台の台装置１を他の台装置１から自由に取り外すことができ、任意の１台又は複数台の台装置１を取り外しても、支障がないようになっている。
【００２１】
また、前記構成の台装置１を複数台連結して形成される、中二階、仮設ステージ等の構造物は、水平方向の大きさ及び形状の変更の自由度があると共に、移設、増設が自由に行えるものである。
また、図１３及び図１４に示すように、台装置１を相互に連結する際において、隣り合う台装置１同志の、隣り合う梁３同志は、梁３の長手方向中途部が、介在プレート２５を介して、ボルト２６及びナット２７によって締結されるように構成されており、これによって、梁３の強度が高められている。
【００２２】
前記介在プレート２５は、隣り合う梁３（縦壁３Ａ間の間隔に相当する板厚、すなわち、梁接合部材１５の接合片１５Ａの板厚の２倍の板厚に形成されており、この介在プレート２５には、上下一対のボルト挿通孔２９が形成され、梁３の縦壁３Ａには、このボルト挿通孔２９に一致するボルト挿通孔３０が形成されており、ボルト挿通孔２９，３０にボルト２６を挿通し、該ボルト２６にナット２７を螺合させることにより、隣り合う台装置１同志の、隣り合う梁３同志の、梁３の長手方向中途部が相互に連結されるようになっている。
【００２３】
前記パネル４は、図２に示すように、台装置１の略幅方向Ｋに亘る長さに形成されたパネル板（床板、棚板等）３１を、台装置１の長さ方向Ｊに亘って並設することで構成されている。
パネル板３１は、例えば、鋼板を曲げ加工して形成され、図１０〜図１２に示すように、上壁３１Ａと、この上壁３１Ａのパネル板幅方向Ｌ（パネル板長手方向Ｍに直交する水平方向）の両側縁部からそれぞれ下方に延出された側壁３１Ｂと、一方の側壁３１Ｂの下端からパネル板幅方向Ｌ内方に延出された係合壁３１Ｃと、他方の側壁３１Ｂの下端からパネル板幅方向Ｌ外方に延出されていて隣接するパネル板３１の係合壁３１Ｃが載置されて係合される被係合壁３１Ｄと、この被係合壁３１Ｄのパネル板幅方向Ｌ外端から上方側に延出された突出壁３１Ｅとを有する。
【００２４】
なお、パネル板３１の係合壁３１Ｃが、隣接するパネル板３１の被係合壁３１Ｃ上に載置された状態で、隣り合うパネル板３１の上壁３１Ａが面一状となるように構成されている。
また、隣接するパネル板３１の側壁３１Ｂ同志を接当（面接触）させることで、パネル板３１の板幅方向Ｌの移動が規制されるようになっており、係合壁３１Ｃが被係合壁３１Ｃに載置されることで、パネル板３１の上面に作用する荷重が各パネル板３１に分散されるようになっている。
【００２５】
前記パネル板３１は、台装置１の幅方向Ｋで対向する梁３上に載置され、複数枚ごと、接続プレート３２によって接続されて一体化されていると共に、固定手段３３によって、梁３に取付固定されている。
接続プレート３２は、パネル板３１の長手方向Ｍ両側の梁３の近傍にそれぞれ配置されており、パネル板３１の下方側においてパネル板幅方向Ｌに沿う方向に、複数枚のパネル板３１に亘るように配置された支持壁部３２Ａと、この支持壁部３２Ａから上方に且つパネル板３１の他方の側壁３１Ｂと、隣接するパネル板３１の突出壁３１Ｅとの間に延出されてパネル板３１の下面に溶接等によって固定される立壁部３２Ｂとを有する。
【００２６】
固定手段３３は、前記接続プレート３２の立壁部３２Ｂを貫通すると共に、先端側の雄ネジ部３４Ａが梁３の上壁３Ｂ（上部側の壁部）と、接続プレート３２の支持壁部３２Ａとの間に位置するように下方に向けて折曲されてＬ字状とされたネジ３４と、梁３の上壁３Ｂ下面と、接続プレート３２の支持壁部３２Ａ下面とに亘って配置されていて、ネジ３４の先端側の雄ネジ部３４Ａが挿通されるブリッジ片３５と、ネジ３４の先端側の雄ネジ部３４Ａに螺合されるナット３６とを備えて構成されており、梁３の上壁３Ｂを、パネル板３１と、ブリッジ片３５とで挟持することにより、パネル板３１が梁３に固定されるように構成されている。
【００２７】
ネジ３４とナット３６とによって、ブリッジ片３５と接続プレート３２とを締結する締結手段が構成されている。
支柱２の下端側に取り付けられるベース５Ａ，５Ｂ，５Ｃは、図１５〜図１８に示すように、本実施の形態では、取り付けられる支柱２の本数に応じて３種類用意されており、図１６は、１本の支柱２の下端側に取り付けられるベース５Ａを示しており、図１７は、台装置１を複数台連結する場合に、２本の支柱２が、台装置１の長さ方向Ｊ又は幅方向Ｋで（前後又は左右に）隣り合う所における該２本の支柱２の下端側に取り付けられるベース５Ｂを示しており、図１８及び図１９は、台装置１を複数台連結する場合に、４本の支柱２が、台装置１の長さ方向Ｊ又は幅方向Ｋで（前後左右に）隣り合う所における該４本の支柱２の下端側に取り付けられるベース５Ｃを示している。
【００２８】
なお、隣り合う３本の支柱２の下端に取り付けられるベースを用意するようにしてもよい。
前記ベース５Ａ，５Ｂ，５Ｃは、上下一対のベースプレート３８，３９と、この上下ベースプレート３８，３９間に設けられていて上下のベースプレート３８，３９間の間隔を調整するアジャスタブル装置４０（高さ調整装置）と、上側のベースプレート３８上に立設されて該上側のベースプレート３８に溶接等によって固定された接続プレート４１とで主構成されている。
【００２９】
上側のベースプレート３８は支柱２の下面側に配置され、該上側のベースプレート３８上に支柱２が載置される。
下側のベースプレート３９は設置面４２（台装置１を据え付ける面）上に配置され、上側のベースプレート３８と上下方向に間隔をおいて配置されている。
アジャスタブル装置４０は、例えば、ボルト４３・ナット４４によって構成されていて、ボルト４３は上下方向に配置され、このボルト４３をナット４４に対して螺進・螺退させることにより、上下のベースプレート３８，３９の上下方向の間隔が調節可能とされ、これによって、台装置１の上面（パネル４の上面）の起伏が吸収されるようになっている（台装置１の上面の水平出しを行えるようになっている）。
【００３０】
前記アジャスタブル装置４０は、取り付けられる支柱２の本数に対応する数、設けられ、ボルト４３は、その軸心が、支柱２の軸心と一致するように配置される。
また、前記アジャスタブル装置４０は、例えば、ナット４４が上側のベースプレート３８の下面に溶接等によって固定され、ボルト４３の頭部は、下側のベースプレート３９の上面に軸心回りに回転自在に接当するように構成される。
なお、上側のベースプレート３８に、ボルト４３の軸部が挿通可能な孔を貫通形成してもよい。
【００３１】
一方、台装置１の各支柱２の下部には、台装置１の長さ方向Ｊで対向する壁部２Ａ，２Ｂにわたってボルト４６を挿通させるためのボルト挿通孔４７と、台装置１の幅方向Ｋで対向する壁部２Ａ，２Ｂにわたってボルト４８を挿通させるためのボルト挿通孔４９とが形成され、これらボルト挿通孔４７，４９は、前記ボルト４６，４８の干渉を避けるべく、上下に位置ズレさせて形成されている。
したがって、複数台の台装置１を、長さ方向Ｊ又は幅方向Ｋで近接するように隣り合わせて配置した場合、台装置１の長さ方向Ｊ又は幅方向Ｋにおいて隣り合う支柱２のボルト挿通孔４７，４９が水平方向（２本の支柱２が隣接する方向）で一致し、この隣り合う２本の支柱２に亘って、ボルト４６，４８が挿通できるようになっている。
【００３２】
また、各支柱２内の下部には、前記ボルト挿通孔４７，４９の上下方向の間に位置する補強プレート５０が溶接等によって固定されている。
前記接続プレート４１は、１本の支柱２の下端側に取り付けられるベース５Ａにあっては、支柱２の、仕口材６が取り付けられる壁部２Ａとは異なる、隣り合う一対の壁部２Ｂの外面に重ね合わされる一対の接合片４１ＡからＬ字形に形成されている。
また、各接合片４１Ａには、該接合片４１Ａに対応する支柱２の壁部２Ｂのボルト挿通孔４７，４９に一致するボルト挿通孔５１が形成されていて、図１６に示すように、ボルト挿通孔４７，４９，５１に亘ってボルト４６，４８を挿通させ、該ボルト４６，４８にナット５２を螺合させることにより、接続プレート４１等が支柱２に取付固定されるように構成されている。
【００３３】
また、接続プレート４１は、前後又は左右に隣り合う２本の支柱２の下端側に取り付けられるベース５Ｂにあっては、支柱２の、仕口材６が取り付けられる壁部２Ａとは異なる壁部２Ｂであって、台装置１の長さ方向Ｊ又は幅方向Ｋで対向する壁部２Ｂの外面間に密接状に介在される接合片４１Ｂと、支柱２の、仕口材６が取り付けられる壁部２Ａとは異なる壁部２Ｂであって、台装置１の長さ方向Ｊ又は幅方向Ｋで並設される壁部２Ｂの外面に重ね合わされる接合片４１ＣとからＴ字形に形成されている。
【００３４】
また、各接合片４１Ｂ，４１Ｃには、該接合片４１Ｂ，４１Ｃに対応する支柱２の壁部２Ｂのボルト挿通孔４７，４９に一致するボルト挿通孔５１が形成されていて、図１７に示すように、ボルト挿通孔４７，４９，５１に亘ってボルト４６，４８を挿通させ、該ボルト４６，４８にナット５２を螺合させることにより、接続プレート４１等が支柱２に取付固定されると共に、２本の支柱２が接続プレート４１を介して相互に連結されるように構成されている。
また、接続プレート４１は、前後左右に隣り合う４本の支柱２の下端側に取り付けられるベース５Ｃにあっては、支柱２の台装置１長さ方向Ｊで隣り合う壁部２Ｂ外面間に密接状に外在される接合片４１Ｄと、支柱２の台装置１幅方向Ｋで隣り合う壁部２Ｂ外面間に密接状に外在される接合片４１Ｅとから十字形に形成されている。
【００３５】
また、各接合片４１Ｄ，４１Ｅには、該接合片４１Ｄ，４１Ｅに対応する支柱２の壁部２Ｂのボルト挿通孔４７，４９に一致するボルト挿通孔５１が形成されていて、図１８及び図１９に示すように、ボルト挿通孔４７，４９，５１に亘ってボルト４６，４８を挿通させ、該ボルト４６，４８にナット５２を螺合させることにより、接続プレート４１等が支柱２に取付固定されると共に、２本の支柱２が接続プレート４１を介して相互に連結されるように構成されている。
なお、各接続プレート４１の接合片４１Ａ，４１Ｂ，４１Ｃ，４１Ｄ，４１Ｅの板厚は、前記梁接合部材１５の接合片１５Ａの板厚の２倍の厚さに形成されている。
【００３６】
前記構成の本実施の形態の台装置１にあっては、支柱２と、梁３及び仕口材６からなる梁枠体７と、パネル４と、ベース５とに分解（解体）でき、パネル４は、さらに、パネル板３１を複数枚接続したパネル構成体に分解でき、運搬時や保管時等において、台装置１をコンパクトにできる。
前記構成の台装置１にあっては、支柱２下端と梁３の端部とを連結する筋違や、支柱２の下部又は上下方向中途部と、梁３の長さ方向中途部とを連結する斜材等は設けられていないので、台装置１を複数台連結して、中二階又は仮設ステージ等を形成した場合に、パネル４の下方側において、支柱２以外に人等の通行の邪魔物となるものがなく、パネル４の下方空間を利用する場合に都合がよい 。
【００３７】
台装置１は前記構成の実施の形態のものに限定されることはなく、適宜設計変更可能である。
【００３８】
【発明の効果】
本発明によれば、矩形の四隅に相当する位置に配置される支柱を備えた台装置であって、この台装置の長さ方向で対向する支柱の上部間及びこの長さ方向に直交する台装置の幅方向で対向する支柱の上部間に配置されて支柱同志を連結する梁と、台装置の上面側に敷設されるパネルとを備え、各支柱の上部には、梁が配置される側とは反対側の外面に固定された接合部材が設けられ、この接合部材は、１本の支柱に対して連結される一対の梁のそれぞれの外側面に沿うように支柱から延出された一対の接合片によって構成され、この接合片と梁とが、これらを貫通する、台装置の長さ方向又は幅方向のボルト及びこのボルトに螺合されるナットによって締結固定されるように構成されているので、前記構成の台装置を、複数台、台装置の長さ方向又は幅方向に隣接して配置し、隣接する梁及び接合片同志を、これらを貫通するボルト及びこのボルトに螺合されるナットによって共締めして締結固定することにより、水平方向の大きさ及び形状の変更の自由度があると共に、移設、増設が自由に行える、中二階、仮設ステージ等の構造物を提供でき、しかも、梁と支柱とを連結する締結手段が邪魔物とならずに、台装置同志を近接して連結することができる。
【００３９】
また、各支柱上部の、梁が配置される側に、仕口材を着脱自在に取り付け、この仕口材に、１本の支柱に対して連結される一対の梁の端部を固定することにより、梁は支柱に対して、梁接合部材と仕口材とを介して取付固定され、強固に取り付けられると共に、複数台の台装置を連結する際において、梁は仕口材を介して支柱に取り付けられるので、梁を別途保持する必要がなく、作業性の向上が図れる。
また、梁接合部材と梁との固定を解除すると共に、仕口材と支柱との固定を解除することにより、梁と支柱とを分解でき、運搬時又は保管時等において都合がよい。
【００４０】
また、仕口材の上端側に、支柱の上端に接当する接当部材を設けることにより、仕口材を支柱にボルト等によって固定する際において、仕口材の支柱に対する位置決め及び保持ができる。
また、支柱が筒体によって形成されており、この支柱の内面に溶接固定されるナットプレートにナットが溶接固定され、仕口材、支柱及びナットプレートを貫通して前記ナットに螺合されるボルトによって仕口材を支柱に取付固定するように構成することにより、仕口材を支柱に取り付ける際において、ボルトを外側から仕口材、支柱及びナットプレートに挿通させると共に、このボルトを支柱内部に固定状に設けたナットに螺合させることにより、仕口材が支柱に取付固定されるので、支柱に対する梁の取付作業の作業性がよい。
【００４１】
また、支柱内面に溶接固定されるナットプレートによって、支柱の梁が連結される部分の補強がなされる。
また、台装置を複数台、近接配置して相互に連結する際において、隣り合う台装置の、隣り合う梁同志の間に介在可能とされると共に、該隣り合う梁同志を連結すべく該両梁を貫通するボルトが貫通可能とされた介在プレートを備えていることにより、連結される隣り合う台装置の、隣り合う梁の強度を向上させることができる。
【００４２】
また、パネルは対向する梁と梁とにわたって配置されると共にこれら梁上に載置されるパネル板を、これら梁の長手方向に沿う方向に並設することで構成され、複数枚のパネル板は、該パネル板の下面側において、前記梁の近傍に、該梁の長手方向に沿って配設された接続プレートに溶接固定されて一体化されており、この接続プレートの下面と、前記梁の上部側の壁部の下面とにわたってブリッジ片が設けられ、このブリッジ片と接続プレートとを締結する締結手段の締め付けによって、パネル板とブリッジ片とで、前記梁の上部側の壁部を挟持するように構成されていることにより、パネルが梁に固定されると共に、パネル板単体の撓み変形を防止することができる。
【００４３】
また、支柱の下端側に取り付けられる上側のベースプレートと、台装置が設置される設置面上に配置される下側のベースプレートと、これら上下のベースプレート間に配置されていて、上下のベースプレートの上下間隔を調整するアジャスタブル装置とを有するベースが備えられていることにより、台装置上面（パネル上面）の水平を出すことができる。
【図面の簡単な説明】
【図１】図２のＣ部分の拡大平面断面図である。
【図２】本発明の台装置を４台連結したものを示す平面図である。
【図３】図２の正面図である。
【図４】図２の側面図である。
【図５】図１のＡ−Ａ線矢示図である。
【図６】図１のＢ−Ｂ線矢示断面図である。
【図７】支柱と梁とを分解した状態を示す平面図である。
【図８】支柱の、図１Ｂ−Ｂ線矢示図である。
【図９】梁及び仕口材の、図１Ｂ−Ｂ線矢示断面図である。
【図１０】図２のＤ部分の拡大図である。
【図１１】図１０のＥ−Ｅ線矢示断面図である。
【図１２】図１０のＦ−Ｆ線矢示断面図である。
【図１３】梁の長手方向に直交する水平方向からみた図である。
【図１４】図１３のＧ−Ｇ線矢示断面図である。
【図１５】台装置を４台連結した構造物の支柱の配置図である。
【図１６】図１５のＯ部分の拡大平面断面図である。
【図１７】図１５のＰ部分の拡大平面断面図である。
【図１８】図１５のＱ部分の拡大平面断面図である。
【図１９】図１８のＨ−Ｈ線矢示断面図である。
【図２０】従来の梁と支柱との連結構造を示す正面断面図である。
【図２１】従来の梁と支柱との連結構造を示す平面図である。
【符号の説明】
１    台装置
２    支柱
３    梁
４    パネル
５    ベース
６    仕口材
９    接当部材
１３    ボルト
１４    ナット
１５    梁接合部材
１５Ａ  接合片
１７    ナット
１９    ナットプレート
２５    介在プレート
２６    ボルト
３１    パネル板
３２    接続プレート
３５    ブリッジ片
３８    上側のベースプレート
３９    下側のベースプレート
４０    アジャスタブル装置
Ｊ    台装置長さ方向
Ｋ    台装置幅方向
【図１】
0003682243.tif 000002
【図２】
0003682243.tif 000003
【図３】
0003682243.tif 000004
【図４】
0003682243.tif 000005
【図５】
0003682243.tif 000006
【図６】
0003682243.tif 000007
【図７】
0003682243.tif 000008
【図８】
0003682243.tif 000009
【図９】
0003682243.tif 000010
【図１０】
0003682243.tif 000011
【図１１】
0003682243.tif 000012
【図１２】
0003682243.tif 000013
【図１３】
0003682243.tif 000014
【図１４】
0003682243.tif 000015
【図１５】
0003682243.tif 000016
【図１６】
0003682243.tif 000017
【図１７】
0003682243.tif 000018
【図１８】
0003682243.tif 000019
【図１９】
0003682243.tif 000020
【図２０】
0003682243.tif 000021
【図２１】
0003682243.tif 000022